(57)【要約】【課題】異なる装飾パターンを変更できるファスナーの引手装置を提供する。【解決手段】スライダーに取り付けられる結合部材と、該結合部材に挿入可能な引手部材と、該引手部材と結合する可能な装飾プレートとを備え、前記結合部材は、結合孔を有する結合部が設けられ、該結合部の一端に湾曲状の係止プレートが設けられることにより、該端に係止溝が形成され、該係止プレートに該係止溝と連通する係止孔が形成され、前記引手部材は、開口を有するＣ字形の引手リングであり、その中に収容空間が形成され、該開口に向かう引手リングの両端に外側へ延出すると共に、前記係止溝に挿入可能な係止部が設けられ、該係止部に前記係止孔と対応する係止ブロックが設けられ、前記装飾プレートは、前記引手部材の収容空間に嵌合されると共に、表面に装飾パターンが設けられることを特徴とする。【選択図】図１
2008099872.tif 000002
【特許請求の範囲】
【請求項１】
スライダーに取り付けられる結合部材と、該結合部材に挿入可能な引手部材と、該引手部材と結合する可能な装飾プレートとを備え、
前記結合部材は、結合孔を有する結合部が設けられ、該結合部の一端に湾曲状の係止プレートが設けられることにより、該端に係止溝が形成され、該係止プレートに該係止溝と連通する係止孔が形成され、
前記引手部材は、開口を有するＣ字形の引手リングであり、その中に収容空間が形成され、該開口に向かう引手リングの両端に外側へ延出すると共に、前記係止溝に挿入可能な係止部が設けられ、該係止部に前記係止孔と対応する係止ブロックが設けられ、
前記装飾プレートは、前記引手部材の収容空間に嵌合されると共に、表面に装飾パターンが設けられることを特徴とするファスナーの引手装置。
【請求項２】
前記結合部材はプレス手段により成型され、中央に前記結合孔が形成され、該結合部の両側に同一方向へ湾曲するＵ字形の係止プレートが設けられることにより、係止プレートと結合部との間に前記係止溝が形成され、該係止プレートに夫々係止溝と連通する係止孔と位置決め孔が形成され、
前記引手部材の係止部に前記係止孔と対応する係止ブロックと、前記位置決め孔と対応する位置決めブロックが設けられ、該引手リングの内側に該収容空間へ延出する位置決めプレートが設けられ、
前記装飾プレートは前記収容空間の形状と対応する円形プレートであり、その周縁に前記引手リングを位置決めする可能な嵌合凹部が形成されると共に、該嵌合凹部に前記位置決めプレートと結合する位置決め溝が形成されることを特徴とする請求項１に記載のファスナーの引手装置。
【請求項３】
前記結合部材の結合部における係止プレートは結合部の上側と下側に設けられる二対の構造であり、引手部材の引手リングは前記二対の係止プレートにおける係止溝に挿入できる一対の構造であり、引手リングの開口と反対する一側に引手リングを連結するための連接部が設けられ、装飾プレートの周縁に引手リングに挟んで位置決めする可能な位置決め縁が設けられることを特徴とする請求項１に記載のファスナーの引手装置。
【発明の詳細な説明】
【技術分野】
【０００１】
本発明は、特に異なる装飾パターンを変更できるファスナーの引手装置に関するものである。
【背景技術】
【０００２】
図１３に示すように、従来のスライドファスナーは、摺動可能なスライダー（５０）を有し、該スライダー（５０）の少なくとも一面に引手プレート（９０）を設置するための掛止ロッド（５１）が設けられている。又、従来の引手プレート（９０）は金属製であり、一端に前記掛止ロッド（５１）と結合するための結合孔（９１）が形成されると共に、表面にメーカーの商標名や所定のパターンなどの装飾パターン（９２）が設けられる。又、このようなスライドファスナーはよく使用されているため、特に特許文献には記載されていない。
【発明の開示】
【発明が解決しようとする課題】
【０００３】
しかしながら、前記従来の引手プレート（９０）は使用者にスライダー（５０）を摺動させる効果を提供するが、該引手プレート（９０）は一体形成であるため、その上における装飾パターン（９２）を使用者の好みに応じて変更することができない。
【０００４】
そこで、出願されたのが本発明であって、異なる装飾パターンを変更できるファスナーの引手装置を提供することを目的としている。
【課題を解決するための手段】
【０００５】
本願の請求項１の発明は、スライダーに取り付けられる結合部材と、該結合部材に挿入可能な引手部材と、該引手部材と結合する可能な装飾プレートとを備え、
前記結合部材は、結合孔を有する結合部が設けられ、該結合部の一端に湾曲状の係止プレートが設けられることにより、該端に係止溝が形成され、該係止プレートに該係止溝と連通する係止孔が形成され、
前記引手部材は、開口を有するＣ字形の引手リングであり、その中に収容空間が形成され、該開口に向かう引手リングの両端に外側へ延出すると共に、前記係止溝に挿入可能な係止部が設けられ、該係止部に前記係止孔と対応する係止ブロックが設けられ、
前記装飾プレートは、前記引手部材の収容空間に嵌合されると共に、表面に装飾パターンが設けられることを特徴とするファスナーの引手装置、を提供する。
【０００６】
本願の請求項２の発明は、前記結合部材はプレス手段により成型され、中央に前記結合孔が形成され、該結合部の両側に同一方向へ湾曲するＵ字形の係止プレートが設けられることにより、係止プレートと結合部との間に前記係止溝が形成され、該係止プレートに夫々係止溝と連通する係止孔と位置決め孔が形成され、
前記引手部材の係止部に前記係止孔と対応する係止ブロックと、前記位置決め孔と対応する位置決めブロックが設けられ、該引手リングの内側に該収容空間へ延出する位置決めプレートが設けられ、
前記装飾プレートは前記収容空間の形状と対応する円形プレートであり、その周縁に前記引手リングを位置決めする可能な嵌合凹部が形成されると共に、該嵌合凹部に前記位置決めプレートと結合する位置決め溝が形成されることを特徴とする請求項１に記載のファスナーの引手装置、を提供する。
【０００７】
本願の請求項３の発明は、前記結合部材の結合部における係止プレートは結合部の上側と下側に設けられる二対の構造であり、引手部材の引手リングは前記二対の係止プレートにおける係止溝に挿入できる一対の構造であり、引手リングの開口と反対する一側に引手リングを連結するための連接部が設けられ、装飾プレートの周縁に引手リングに挟んで位置決めする可能な位置決め縁が設けられることを特徴とする請求項１に記載のファスナーの引手装置、を提供する。
【発明の効果】
【０００８】
本発明は上記の課題を解決するものであり、装飾プレートを設置する可能な引手部材とスライダーに結合する結合部材との着脱することにより、異なる装飾パターンを有する装飾プレートを簡単に変更することができるので、優れた装飾効果を提供できる。
【発明を実施するための最良の形態】
【０００９】
以下、添付図面を参照して本発明の好適な実施の形態を詳細に説明する。
【００１０】
図１は本発明に係るファスナーの引手装置の第１実施例を示す斜視図であり、図２は本発明に係るファスナーの引手装置の第１実施例を示す分解斜視図であり、図３は本発明に係るファスナーの引手装置の第１実施例を示す部分断面図であり、図４は本発明に係るファスナーの引手装置の第２実施例を示す斜視図であり、図５は本発明に係るファスナーの引手装置の第３実施例を示す斜視図であり、図６は本発明に係るファスナーの引手装置の第３実施例を示す分解斜視図であり、図７は本発明に係るファスナーの引手装置の第４実施例を示す斜視図であり、図８は本発明に係るファスナーの引手装置の第４実施例を示す分解斜視図であり、図９は本発明に係るファスナーの引手装置の第５実施例を示す斜視図であり、図１０は本発明に係るファスナーの引手装置の第５実施例を示す分解斜視図であり、図１１は本発明に係るファスナーの引手装置の第６実施例を示す斜視図であり、図１２は本発明に係るファスナーの引手装置の第６実施例を示す分解斜視図である。
【００１１】
図１乃至図１２に示すように、本発明に係るファスナーの引手装置は、スライダー（５０）に取り付けられる結合部材（１０）と、該結合部材（１０）に挿入可能な引手部材（２０）と、該引手部材（２０）と結合する可能な装飾プレート（３０）とを備え、
前記結合部材（１０）は、結合孔（１１）を有する結合部（１２）が設けられ、該結合部（１２）の一端に湾曲状の係止プレート（１３）が設けられることにより、該端に係止溝（１４）が形成され、該係止プレート（１３）に該係止溝（１４）と連通する係止孔（１３１）が形成される。
【００１２】
前記引手部材（２０）は、開口（２２）を有するＣ字形の引手リング（２１）であり、その中に収容空間（２４）が形成され、該開口（２２）に向かう引手リング（２１）の両端に外側へ延出すると共に、前記係止溝（１４）に挿入可能な係止部（２３）が設けられ、該係止部（２３）に前記係止孔（１３１）と対応する係止ブロック（２３１）が設けられる。
【００１３】
前記装飾プレート（３０）は、前記引手部材（２０）の収容空間（２４）に嵌合される。
【００１４】
又、図１乃至図３に示すように、本発明に係るファスナーの引手装置の第１実施例では、該結合部材（１０）はプレス手段により成型され、中央にスライダー（５０）の掛止ロッド（５１）に取付可能な結合孔（１１）が形成され、一端に引手部材（２０）と結合するための結合部（１２）が設けられ、該結合部（１２）の両側に同一方向へ湾曲するＵ字形の係止プレート（１３）が設けられることにより、係止プレート（１３）と結合部（１２）との間に係止溝（１４）が形成され、該係止プレート（１３）に夫々係止溝（１４）と連通する係止孔（１３１）と位置決め孔（１３２）が形成される。
【００１５】
前記引手部材（２０）は、金属やプラスチックからなると共に、開口（２２）を有するＣ字形の引手リング（２１）であり、該開口（２２）に向かう引手リング（２１）の両端に外側へ延出すると共に、前記係止溝（１４）に挿入可能な係止部（２３）が設けられ、該係止部（２３）に前記係止孔（１３１）と対応する係止ブロック（２３１）と、前記位置決め孔（１３２）と対応する位置決めブロック（２３２）が設けられる。又、引手部材（２０）における引手リング（２１）の中央に収容空間（２４）が形成され、該引手リング（２１）の内側に該収容空間（２４）へ延出する位置決めプレート（２１１）が設けられる。
【００１６】
前記装飾プレート（３０）は前記収容空間（２４）の形状と対応する金属製又はプラスチック製の円形プレートであり、その上に光や音の発生可能な電子部材を設置することができる。該装飾プレート（３０）の周縁に前記引手リング（２１）を位置決めする可能な嵌合凹部（３１）が形成されると共に、該嵌合凹部（３１）に前記位置決めプレート（２１１）と結合する位置決め溝（３２）が形成される。該装飾プレート（３０）の表面に必要に応じて所定の文字や図案などの装飾パターン（３３）が設けられる。
【００１７】
本発明に係るファスナーの引手装置を組合する時、先ず装飾プレート（３０）を引手部材（２０）の収容空間（２４）に取付け、次に引手部材（２０）の係止部（２３）を結合部材（１０）の係止溝（１４）に挿入させ、図３に如く、係止ブロック（２３１）と係止孔（１３１）及び位置決めブロック（２３２）と位置決め孔（１３２）の結合により、図１に示すように、結合部材（１０）、引手部材（２０）及び装飾プレート（３０）を一体に結合させることができる。
【００１８】
図４に示すように、本発明に係るファスナーの引手装置の第２実施例は、前記第１実施例と殆ど等しく、異なるのは、引手部材（２０）の引手リング（２１）及び装飾プレート（３０）は楕円形であるが、例えば多辺形や星形などの形状になってもよい。
【００１９】
図５及び図６に示すように、本発明に係るファスナーの引手装置の第３実施例は、前記第１実施例と殆ど等しく、異なるのは、結合部材（１０）における係止孔（１３１）は、円形であり、引手部材（２０）における係止ブロック（２３１）は、該円形の係止孔（１３１）と係止できるシリンダーである。
【００２０】
図７及び図８に示すように、本発明に係るファスナーの引手装置の第４実施例は、前記第３実施例と殆ど等しく、異なるのは、結合部（１２）の両側に設けられる係止プレート（１３）は口字形であり、該係止プレート（１３）に係止孔（１３１）しか形成されなく、引手部材（２０）の係止部（２３）に前記係止孔（１３１）と対応する係止ブロック（２３１）しか設けられなく、引手リング（２１）の内側に位置決めプレートを設けられなく、又、装飾プレート（３０）の周縁に引手リング（２１）を位置決めする可能な嵌合凹部（３１）しか形成されない。
【００２１】
図９及び図１０に示すように、本発明に係るファスナーの引手装置の第５実施例は、前記第４実施例と殆ど等しく、異なるのは、引手部材（２０）の引手リング（２１）は線状の金属プレートである。
【００２２】
図１１及び図１２に示すように、本発明に係るファスナーの引手装置の第６実施例は、前記第１実施例と殆ど等しく、異なるのは、結合部材（１０）の結合部（１２）における係止プレート（１３）は結合部（１２）の上側と下側に設けられる二対の構造であり、引手部材（２０）の引手リング（２１Ａ）（２１Ｂ）は前記二対の係止プレート（１３）における係止溝（１４）に挿入できる一対の構造であり、引手リング（２１Ａ）（２１Ｂ）の開口と反対する一側に引手リング（２１Ａ）（２１Ｂ）を連結するための連接部（２５）が設けられ、該引手リング（２１Ａ）（２１Ｂ）に係止溝（１４）に挿入可能な係止部（２３）が設けられ、又、装飾プレート（３０）の周縁に引手リング（２１Ａ）（２１Ｂ）に挟んで位置決めする可能な位置決め縁（３４）が設けられる。
【産業上の利用可能性】
【００２３】
本発明は上記の構成を有し、装飾プレートを設置する可能な引手部材とスライダーに結合する結合部材との着脱することにより、異なる装飾パターンを有する装飾プレートを簡単に変更することができるので、優れた装飾効果を提供できる。
【図面の簡単な説明】
【００２４】
【図１】本発明に係るファスナーの引手装置の第１実施例を示す斜視図である。
【図２】本発明に係るファスナーの引手装置の第１実施例を示す分解斜視図である。
【図３】本発明に係るファスナーの引手装置の第１実施例を示す部分断面図である。
【図４】本発明に係るファスナーの引手装置の第２実施例を示す斜視図である。
【図５】本発明に係るファスナーの引手装置の第３実施例を示す斜視図である。
【図６】本発明に係るファスナーの引手装置の第３実施例を示す分解斜視図である。
【図７】本発明に係るファスナーの引手装置の第４実施例を示す斜視図である。
【図８】本発明に係るファスナーの引手装置の第４実施例を示す分解斜視図である。
【図９】本発明に係るファスナーの引手装置の第５実施例を示す斜視図である。
【図１０】本発明に係るファスナーの引手装置の第５実施例を示す分解斜視図である。
【図１１】本発明に係るファスナーの引手装置の第６実施例を示す斜視図である。
【図１２】本発明に係るファスナーの引手装置の第６実施例を示す分解斜視図である。
【図１３】従来のファスナーの引手装置を示す斜視図である。
【符号の説明】
【００２５】
１０        結合部材                    １１        結合孔
１２        結合部                      １３        係止プレート
１３１      係止孔                      １３２      位置決め孔
１４        係止溝                      ２０        引手部材
２１、２１Ａ、２１Ｂ    引手リング
２１１      位置決めプレート            ２２        開口
２３        係止部                      ２３１      係止ブロック
２３２      位置決めブロック            ２４        収容空間
２５        連接部                      ３０        装飾プレート
３１        嵌合凹部                    ３２        位置決め溝
３３        装飾パターン                ３４        位置決め縁
５０        スライダー                  ５１        掛止ロッド
９０        引手プレート                ９１        結合孔
９２        装飾パターン
【図１】
2008099872.tif 000003
【図２】
2008099872.tif 000004
【図３】
2008099872.tif 000005
【図４】
2008099872.tif 000006
【図５】
2008099872.tif 000007
【図６】
2008099872.tif 000008
【図７】
2008099872.tif 000009
【図８】
2008099872.tif 000010
【図９】
2008099872.tif 000011
【図１０】
2008099872.tif 000012
【図１１】
2008099872.tif 000013
【図１２】
2008099872.tif 000014
【図１３】
2008099872.tif 000015